(57)【要約】【解決手段】広告に使用する方法は、インタラクティブコンテンツの再生を開始し、インタラクティブコンテンツの再生を一時中断し、広告を表示し、インタラクティブコンテンツの再生を再開することを含む。コンピュータプログラム製品は、コンピュータプログラムが具体化された媒体を含み、コンピュータプログラムはコンピュータにこれらの動作を実行させる。広告に使用するシステムは、ディスプレイと、これらの動作を実行するように構成されたプロセッシングシステムとを含む。【選択図】図４Ａ
2010509873.tif 000002
【特許請求の範囲】
【請求項１】
広告に使用する方法であって、
インタラクティブコンテンツの再生を開始し、
インタラクティブコンテンツの再生を一時中断し、
広告を表示し、
インタラクティブコンテンツの再生を再開することを含む方法。
【請求項２】
インタラクティブコンテンツの再生が一時中断される旨の表示をユーザに提供することをさらに含む請求項１の方法。
【請求項３】
前記表示は、インタラクティブコンテンツの再生をスローダウンすることを含む請求項２の方法。
【請求項４】
インタラクティブコンテンツの再生をスローダウンすることは、インタラクティブコンテンツの再生を徐々にスローダウンすることを含む請求項２の方法。
【請求項５】
前記表示は、スローモーションでインタラクティブコンテンツを再生することを含む請求項１の方法。
【請求項６】
前記表示は、警告メッセージを含む請求項１の方法。
【請求項７】
インタラクティブコンテンツの再生を再開することは、インタラクティブコンテンツの再生の速度を上げることを含む請求項１の方法。
【請求項８】
インタラクティブコンテンツの再生の速度を上げることは、漸進的な速度上昇を含む請求項７の方法。
【請求項９】
インタラクティブコンテンツの再生を再開する前に、インタラクティブコンテンツの少なくとも一部を巻き戻すことをさらに含む請求項１の方法。
【請求項１０】
インタラクティブコンテンツはビデオゲームである請求項１の方法。
【請求項１１】
インタラクティブコンテンツはネットワークを介して再生される請求項１の方法。
【請求項１２】
インタラクティブコンテンツは、複数のユーザに同時に情報を相互にやりとりさせるように構成されている請求項１１の方法。
【請求項１３】
同じ広告が前記複数のユーザのすべてに表示される請求項１２の方法。
【請求項１４】
異なる広告が前記複数のユーザの少なくとも一人に表示される請求項１２の方法。
【請求項１５】
インタラクティブコンテンツの再生の一時中断は所定の時間に行われる請求項１の方法。
【請求項１６】
インタラクティブコンテンツの再生の一時中断はランダムな時間に行われる請求項１の方法。
【請求項１７】
コンピュータに入力するためのコンピュータプログラムが具体化された媒体と前記媒体に具体化されたコンピュータプログラムとを含むコンピュータプログラム製品であって、前記コンピュータプログラムは前記コンピュータに、
インタラクティブコンテンツの再生を開始するステップと、
インタラクティブコンテンツの再生を一時中断するステップと、
広告を表示するステップと、
インタラクティブコンテンツの再生を再開するステップとを実行させるコンピュータプログラム製品。
【請求項１８】
インタラクティブコンテンツの再生が一時中断される旨の表示をユーザに提供することをさらに含む請求項１７のコンピュータプログラム製品。
【請求項１９】
前記表示は、インタラクティブコンテンツの再生をスローダウンすることを含む請求項１８のコンピュータプログラム製品。
【請求項２０】
インタラクティブコンテンツの再生をスローダウンすることは、インタラクティブコンテンツの再生を徐々にスローダウンすることを含む請求項１９のコンピュータプログラム製品。
【請求項２１】
前記表示は、スローモーションでインタラクティブコンテンツを再生することを含む請求項１８のコンピュータプログラム製品。
【請求項２２】
前記表示は、警告メッセージを含む請求項１８のコンピュータプログラム製品。
【請求項２３】
インタラクティブコンテンツの再生を再開することは、インタラクティブコンテンツの再生の速度を上げることを含む請求項１７のコンピュータプログラム製品。
【請求項２４】
インタラクティブコンテンツの再生の速度を上げることは、漸進的な速度上昇を含む請求項２３のコンピュータプログラム製品。
【請求項２５】
インタラクティブコンテンツの再生を再開する前に、インタラクティブコンテンツの少なくとも一部を巻き戻すことをさらに含む請求項１７のコンピュータプログラム製品。
【請求項２６】
インタラクティブコンテンツはビデオゲームである請求項１７のコンピュータプログラム製品。
【請求項２７】
インタラクティブコンテンツはネットワークを介して再生される請求項１７のコンピュータプログラム製品。
【請求項２８】
インタラクティブコンテンツは、複数のユーザに同時に情報を相互にやりとりさせるように構成されている請求項２７のコンピュータプログラム製品。
【請求項２９】
同じ広告が前記複数のユーザのすべてに表示される請求項２８のコンピュータプログラム製品。
【請求項３０】
異なる広告が前記複数のユーザの少なくとも一人に表示される請求項２８のコンピュータプログラム製品。
【請求項３１】
インタラクティブコンテンツの再生の一時中断は所定の時間に行われる請求項１７のコンピュータプログラム製品。
【請求項３２】
インタラクティブコンテンツの再生の一時中断はランダムな時間に行われる請求項１７のコンピュータプログラム製品。
【請求項３３】
広告に使用するシステムであって、
ディスプレイと、
プロセッシングシステムとを含み、前記プロセッシングシステムは、
インタラクティブコンテンツの再生を開始し、
インタラクティブコンテンツの再生を一時中断し、
前記ディスプレイに広告を表示し、
インタラクティブコンテンツの再生を再開するように構成されたシステム。
【請求項３４】
前記プロセッシングシステムはさらに、インタラクティブコンテンツの再生が一時中断される旨の表示をユーザに提供するように構成された請求項３３のシステム。
【請求項３５】
前記表示は、インタラクティブコンテンツの再生をスローダウンすることを含む請求項３４のシステム。
【請求項３６】
インタラクティブコンテンツの再生をスローダウンすることは、インタラクティブコンテンツの再生を徐々にスローダウンすることを含む請求項３５のシステム。
【請求項３７】
前記表示は、スローモーションでインタラクティブコンテンツを再生することを含む請求項３４のシステム。
【請求項３８】
前記表示は、警告メッセージを含む請求項３４のシステム。
【請求項３９】
インタラクティブコンテンツの再生を再開することは、インタラクティブコンテンツの再生の速度を上げることを含む請求項３３のシステム。
【請求項４０】
インタラクティブコンテンツの再生の速度を上げることは、漸進的な速度上昇を含む請求項３９のシステム。
【請求項４１】
インタラクティブコンテンツの再生を再開する前に、インタラクティブコンテンツの少なくとも一部を巻き戻すことをさらに含む請求項３３のシステム。
【請求項４２】
インタラクティブコンテンツはビデオゲームである請求項３３のシステム。
【請求項４３】
インタラクティブコンテンツはネットワークを介して再生される請求項３３のシステム。
【請求項４４】
インタラクティブコンテンツは、複数のユーザに同時に情報を相互にやりとりさせるように構成されている請求項４３のシステム。
【請求項４５】
同じ広告が前記複数のユーザのすべてに表示される請求項４４のシステム。
【請求項４６】
異なる広告が前記複数のユーザの少なくとも一人に表示される請求項４４のシステム。
【請求項４７】
インタラクティブコンテンツの再生の一時中断は所定の時間に行われる請求項３３のシステム。
【請求項４８】
インタラクティブコンテンツの再生の一時中断はランダムな時間に行われる請求項３３のシステム。
【発明の詳細な説明】
【技術分野】
【０００１】
本発明は一般に広告に関し、特にビデオゲームなどのようなインタラクティブコンテンツにおける広告に関する。
【背景技術】
【０００２】
広告の従来の形式はテレビコマーシャルである。テレビコマーシャルは典型的には数秒から数分の長さを有する簡潔な広告スポットから構成される。コマーシャルはショーの間に現れ、一定の時間間隔でショーを中断させる。広告主の目標は、見ている人の関心をコマーシャルに集中させることである。
【発明の概要】
【発明が解決しようとする課題】
【０００３】
広告はビデオゲームでも用いられてきた。そのような広告はしばしば、ゲームのシーンに表示される掲示板や標識に挿入されたり、配置される広告の形式を取る。
このような背景情報のもとで本発明はなされた。
【課題を解決するための手段】
【０００４】
本発明のある態様は、広告に使用する方法であって、インタラクティブコンテンツの再生を開始し、インタラクティブコンテンツの再生を一時中断し、広告を表示し、インタラクティブコンテンツの再生を再開する。
【０００５】
別の態様は、コンピュータに入力するためのコンピュータプログラムが具体化された媒体と前記媒体に具体化されたコンピュータプログラムとを含むコンピュータプログラム製品であって、前記コンピュータプログラムは前記コンピュータに、インタラクティブコンテンツの再生を開始するステップと、インタラクティブコンテンツの再生を一時中断するステップと、広告を表示するステップと、インタラクティブコンテンツの再生を再開するステップとを実行させる。
【０００６】
別の態様は、広告に使用するシステムであって、ディスプレイと、プロセッシングシステムとを含み、前記プロセッシングシステムは、インタラクティブコンテンツの再生を開始し、インタラクティブコンテンツの再生を一時中断し、前記ディスプレイに広告を表示し、インタラクティブコンテンツの再生を再開するように構成されてなる。
【０００７】
本発明の実施の形態の原理が利用される例示的な実施の形態を説明した以下の詳細な説明および添付の図面を参照することによって、本発明の様々な実施の形態の特徴と利点はよりよく理解される。
【図面の簡単な説明】
【０００８】
本発明の実施の形態の上記およびその他の態様、特徴および利点は、以下の図面とともに提示される以下のより特定の説明から一層明らかになる。
【図１】本発明の実施の形態に係る広告に用いるための方法のフローダイアグラムである。
【図２Ａ】インタラクティブコンテンツの再生が一時中断される旨の表示例を説明するスクリーンショットであり、本発明の実施の形態にしたがって使用することができる。
【図２Ｂ】インタラクティブコンテンツの再生が一時中断される旨の表示例を説明するスクリーンショットであり、本発明の実施の形態にしたがって使用することができる。
【図２Ｃ】インタラクティブコンテンツの再生が一時中断される旨の表示例を説明するスクリーンショットであり、本発明の実施の形態にしたがって使用することができる。
【図２Ｄ】インタラクティブコンテンツの再生が一時中断される旨の表示例を説明するスクリーンショットであり、本発明の実施の形態にしたがって使用することができる。
【図３】広告例を説明するスクリーンショットであり、本発明の実施の形態にしたがって再生することができる。
【図４Ａ】インタラクティブコンテンツの再生が再開される旨の表示例を説明するスクリーンショットであり、本発明の実施の形態にしたがって使用することができる。
【図４Ｂ】インタラクティブコンテンツの再生が再開される旨の表示例を説明するスクリーンショットであり、本発明の実施の形態にしたがって使用することができる。
【図５】本発明の実施の形態にしたがってここに示され、記載された方法を走らせ、実装し、および／または実行するために使うことのできるネットワークを説明するブロックダイアグラムである。
【図６】本発明の実施の形態にしたがってここに示され、記載された方法を走らせ、実装し、および／または実行するために使うことのできるコンピュータシステムを説明するブロックダイアグラムである。
【発明を実施するための形態】
【０００９】
本発明の実施の形態は、たとえば、ビデオゲーム、エンターテインメントソフトウエア、あるいは他の任意のタイプのインタラクティブ性のあるコンテンツのような、インタラクティブ（対話型）コンテンツで使用するための広告スキームを提供する。ある実施の形態では、ゲームプレイの間、ゲームがスローダウンした後、停止し、コマーシャルが再生される。ユーザは、コマーシャルが次に来る旨の表示または警告を受け取ることもある。一例として、そのような表示はゲーム再生のスローダウンを伴うものであってもよい。このやり方によれば、ゲームがスローダウンするとき、ユーザはコマーシャルに備えなければならないことがわかり、その後、ゲームが停止し、コマーシャルが再生される。コマーシャルの後、ゲームは再開する（すなわち、再び始まる）。ある実施の形態では、ゲームはゆっくりと再び始まることで再開する。これにより、ユーザは自分がゲームをしていたことを思い出すことができる。
【００１０】
図１を参照しながら、本発明の実施の形態に係る動作の方法１００を説明する。広告に用いられるこの方法１００は、ユーザがコンテンツと相互に情報をやりとりをする任意のインタラクティブなエンターテインメントシステムやコンテンツで使用することができる。
【００１１】
方法１００はステップ１０２で始まり、インタラクティブコンテンツの再生が開始される。ある実施の形態では、オプショナルなステップ１０４が用いられ、ユーザに、インタラクティブコンテンツの再生が中断する旨の表示が提供される。ある実施の形態では、その表示には、インタラクティブコンテンツの再生のスローダウンが伴う。たとえば、ある実施の形態では、インタラクティブコンテンツがスローモーションで再生されてから中断する。他の実装では、コンテンツのスローダウンは徐々になされ、その結果、インタラクティブメディアの再生速度は、インタラクティブメディアの再生が中断するまで減少し続ける。
【００１２】
いろいろな伝達メカニズムを選択的に用いてプレイヤーの心情をゲーム環境から外に出す（そして、元に戻す）ようにしてもよい。たとえば、ある実施の形態では、オプショナルステップ１０４で提供される表示に、警告メッセージ、通知、ベル、オーディオ信号、ビジュアル信号、オーディオ−ビジュアル信号、あるいはその他の指標を表示することを含め、メディアコンテンツの再生中に、コマーシャルブレイクのような中断がもうすぐ来ることをユーザに警告するようにしてもよい。図２Ａ、２Ｂ、２Ｃおよび２Ｄは、本発明の実施の形態にしたがって使用することができる一時停止の表示例を示す。すなわち、図２Ａにおいて、クライアントのディスプレイデバイス２１０上でプレイしているゲームが徐々にスローダウンする。図２Ｂにおいて、ゲームプレイがまもなく停止する旨の警告がクライアントのディスプレイデバイス２１０に表示される。図２Ｃのように、点滅する光２１４のようなビジュアルな警告信号を用いて、ゲームプレイがまもなく停止することを示してもよい。図２Ｄでは、クライアントデバイスに接続されたスピーカ２１６を通して再生されるオーディオ信号を用いて、メディアの再生が一時中断することを示してもよい。
【００１３】
ステップ１０６（図１）において、インタラクティブコンテンツの再生が中断する。ある実施の形態によれば、コンテンツの再生は所定の時間に一時中断する。他の実施の形態では、インタラクティブコンテンツの再生の一時中断はランダムに起きる。インタラクティブコンテンツの再生が中断するステップ１０６の間、ある実施の形態においては、メディアコンテンツの再生が中断された場所を参照して、停止ポイントが記録される。この停止ポイントは、コンテンツの再生が中断されたメディアコンテンツ内の時刻であってもよく、あるいは、その再生が中断されたメディアコンテンツ内のポイントを特定するために用いられる他の識別子であってもよい。
【００１４】
ステップ１０８において広告が表示される。一例として、広告は従来のＴＶコマーシャルに似たものであってもよく、他のタイプの広告を含んでもよい。たとえば、図３は、クライアントディスプレイデバイス３１０に表示された広告例３０８を示す。この例では、広告３０８は、「これにトライしてみないとね！」というスローガンを含む「ベストブランドソーダ」に対するものである。ある実施の形態では、広告は予め選択されているか、ランダムに選択されるか、人口統計にもとづいて選択されるか、ユーザプロファイルまたは他の基準にもとづいて選択されるか、あるいはその他の処理によって選択される。以下議論されるように、インタラクティブコンテンツがいくつかのクライアントデバイスで再生される実施の形態においては、商業広告が一つ以上あるいはすべてのクライアントデバイスで再生される。ある実施の形態では、広告はスクリーン全体で再生される。このようにして、インタラクティブコンテンツの再生が一時中断するとき、コマーシャルまたは他の広告が再生される。
【００１５】
ある実施の形態では、インタラクティブコンテンツの再生を再開する前にコンテンツの一部をリプレイしてもよい。たとえば、オプショナルステップ１１０（図１）に示すように、インタラクティブコンテンツの再生を再開する前にインタラクティブコンテンツの少なくとも一部を巻き戻す。すなわち、ゲームの一部が巻き戻され、最後の数秒または数分がゆっくりとリプレイされ、ユーザは再びプレイを開始することができるようになる。ある実施の形態では、記録された停止ポイントが使われ、その結果、コンテンツの一部が通常速度またはスローモーションでその停止ポイントまで再生し直され、停止ポイントの後、コンテンツの通常再生が再開される。
【００１６】
ある実施の形態では、コンテンツの再生を再開する前にコンテンツの再生がまもなく再開される旨、ユーザに対して注意を喚起する表示を提供してもよい。その表示は、お知らせ、ベルのようなオーディオ指示、オーディオビジュアル信号、あるいはその他の指示であってもよい。ある実施の形態では、オブジェクト、ターゲット、シーン、プレイヤ、スコア、あるいはその他の情報が強調表示したり、アニメーション表示して、コンテンツの再生を再開する時点でインタラクティブコンテンツの重要なエレメントに注意の中心を持ってこさせるようにしてもよい。図４Ａおよび４Ｂは、本発明の実施の形態にしたがって使用される表示の再開例を示す。すなわち、図４Ａでは、ゲームプレイがまもなく再開するところである旨の警告メッセージ４１２がクライアントディスプレイデバイス４１０に表示される。図４Ｂでは、ランク４１４、スコア４１６、および／または自動車のようなオブジェクト４１８が強調表示またはアニメーション表示され、コンテンツの再生を再開する時点でインタラクティブコンテンツのこれらのエレメントに注意が向けられるようになる。
【００１７】
次に、ステップ１１２（図１）において、インタラクティブコンテンツの再生が再開される。ある実施の形態において、シグナル機構がコンテンツの再生の再開をトリガーし調整することで、安全で公平な移行が確立される。一時中断状態からコンテンツの再生再開に移行するためにさまざまな移行メカニズムを用いることができる。ある実施の形態では、コンテンツの速度が通常速度に戻るまで増加するようにしてもよい。ある実施の形態では、速度の上昇の仕方を漸進的なものにして、効果的な移行を保証するようにしてもよい。
【００１８】
本発明の実施の形態はスタンドアロンゲームまたはネットワークゲーム環境で用いることができる。図５を参照して、本発明の実施の形態にしたがってネットワークゲーム環境を実装する際に用いられるシステム５００を説明する。システム５００において、複数のプレイヤーが、たとえばネットワークゲームにおいて互いに情報をやりとりすることができる。これは、たとえばインターネットのようなネットワーク５０４にアクセスするクライアントデバイス５０２を操作する各ユーザによって実行される。
【００１９】
ある実施の形態では、ゲームネットワークはシグナリング機構を用いて同期が取られる。このシグナリング機構では、信号がネットワーク上のすべてのプレイヤーに送られ、ゲームを中断させたり、再生させたりする。さらに、信号は同時に、コンテンツの再生のスローダウンまたはスピードアップを促すためにも送られ、公平で同時性のあるゲームプレイ環境を提供するのに役立つ。ある実施の形態では、停止位置やタイムスタンプの記録を用いた他の同期機構を用いてもよい。ネットワークゲームでは、ゲームプレイが停止すると、一人以上のプレイヤーがみんな同じまたは異なるコマーシャルを見る。異なるコマーシャルが再生される実施の形態では、各クライアントデバイス上で再生中のコマーシャルに関係なく、ゲームが同時に停止し、再開することを保証するために同期機構が用いられる。そのような同期機構は、すべてのクライアントデバイス上で同じような方法でゲームが停止し、再開することを保証し、公平なプレイ環境を保証するためにも使われる。
【００２０】
ゲームがネットワークを介してプレイされる実施の形態では、コンテンツの一時停止と、オプションとしてのその旨の表示は、サーバが、状態変化を調整するすべてのゲームクライアントにメッセージを送信したときに開始される。たとえば、ネットワークゲームフレームワークでは、何人かまたはすべてのプレイヤーに信号を送信し、中断を知らせ、すべてのプレイヤーユニットでその中断を調整するようにしてもよい。ある実施の形態では、シグナル機構がゲーム環境をまたがってゲーム機能をトリガーし、調整するため、アクティブなゲームプレイから一時停止状態へと安全かつ公平に移行することが確立される。ある実装では、メディア再生の一時中断が起きた位置をあらかじめ記録しておき、プレイヤーがコンテンツ内の停止位置に到達したとき、コンテンツの一時中断が開始される。ある実装では、メディアコンテンツがいくつかのクライアント再生デバイス上で同時に再生される場合、シグナル機構あるいは他の機構を用いてすべてのデバイス上のコンテンツの中断を調整してもよい。他の実施の形態では、コンテンツの再生はランダムな位置で中断してもよい。ある実装では、シグナル機構を用いてシグナルを送信し、すべてのクライアントデバイスにすべてのクライアント装置上のコンテンツの再生を中止させてもよい。
【００２１】
コンテンツが複数のクライアントに表示される実施の形態において、同じ広告がすべてのクライアントデバイス上で再生されてもよく、他の実施の形態では、異なる広告がクライアントデバイスの一部またはすべてで再生されてもよい。クライアントデバイスで再生される広告は異なるデバイスにランダムに割り当てられてもよく、あるいは、ある実装では、ユーザプロファイルまたは他の基準にもとづいて、クライアントデバイスの一部またはすべてに固有の広告がそれらのデバイスに送信されてもよい。
【００２２】
ここに記述される方法と技術は、多くの異なる種類のコンピュータ、グラフィックスワークステーション、テレビジョン、エンターテインメント・システム、ビデオゲーム・システム、ＤＶＤプレーヤー、ＤＶＲ、メディア・プレーヤー、ホームサーバ、ビデオ・ゲーム機などの上で利用され、実装され、実行される。図４を参照して、そのような実装に用いられるシステム４００を例示する。しかし、システム４００を使用することは特に要求されない。
【００２３】
システム６００は、中央演算処理装置（ＣＰＵ）６０２、グラフィック処理装置（ＧＰＵ）６０４、デジタル微分解析（ＤＤＡ）ハードウェア６０６、ランダムアクセスメモリ（ＲＡＭ）６０８、およびディスクドライブのような大容量記憶装置６１０を含んでもよいが、これらを含むことは要求されない。システム６００は、ここで述べられるタイプのディスプレイを含め、任意のタイプのディスプレイなどのディスプレイ６１２に接続されるか、一体化されてもよい。
【００２４】
ＣＰＵ６０２および／またはＧＰＵ６０４はここに述べた方法と技術の各ステップを実行するために使うことができ、いろいろな番組コンテンツと画像はディスプレイ６１２に描画することができる。リムーバブル記録媒体６１４を大容量記憶装置６１０とともにオプションで使い、それをここに述べた方法と技術を実装するコードを格納するために使ってもよい。もっとも、ＲＡＭ６０８や大容量記憶装置６１０のような記憶デバイスのいずれかをそのようなコードを格納するために使ってもよい。システム６００の全体または一部を、テレビジョン、コンピュータ、ビデオ・ゲーム機またはシステムのようなタイプのデバイス、あるいは、ここに述べられたタイプのデバイスを含む他の任意のタイプのデバイスに具体化してもよい。
【００２５】
ここに開示された本発明は特定の実施の形態およびその適用例を用いて記載されたが、当業者であれば、請求項に記載された発明の範囲から逸脱することなく、いろいろな変更やバリエーションを加えることができよう。
【図１】
2010509873.tif 000003
【図２Ａ】
2010509873.tif 000004
【図２Ｂ】
2010509873.tif 000005
【図２Ｃ】
2010509873.tif 000006
【図２Ｄ】
2010509873.tif 000007
【図３】
2010509873.tif 000008
【図４Ａ】
2010509873.tif 000009
【図４Ｂ】
2010509873.tif 000010
【図５】
2010509873.tif 000011
【図６】
2010509873.tif 000012
【手続補正書】
【提出日】平成21年9月30日(2009.9.30)
【手続補正１】
【補正対象書類名】特許請求の範囲
【補正対象項目名】全文
【補正方法】変更
【補正の内容】
【特許請求の範囲】
【請求項１】
広告に使用する方法であって、
インタラクティブコンテンツの再生を開始し、
インタラクティブコンテンツの再生を一時中断し、
広告を表示し、
インタラクティブコンテンツの再生を再開することを含む方法。
【請求項２】
コンピュータに入力するためのコンピュータプログラムが具体化された媒体と前記媒体に具体化されたコンピュータプログラムとを含むコンピュータプログラム製品であって、前記コンピュータプログラムは前記コンピュータに、
インタラクティブコンテンツの再生を開始するステップと、
インタラクティブコンテンツの再生を一時中断するステップと、
広告を表示するステップと、
インタラクティブコンテンツの再生を再開するステップとを実行させるコンピュータプログラム製品。
【請求項３】
広告に使用するシステムであって、
ディスプレイと、
プロセッシングシステムとを含み、前記プロセッシングシステムは、
インタラクティブコンテンツの再生を開始し、
インタラクティブコンテンツの再生を一時中断し、
前記ディスプレイに広告を表示し、
インタラクティブコンテンツの再生を再開するように構成されたシステム。
【請求項４】
前記プロセッシングシステムはさらに、インタラクティブコンテンツの再生が一時中断される旨の表示をユーザに提供するように構成された請求項３のシステム。
【請求項５】
前記表示は、インタラクティブコンテンツの再生をスローダウンすることを含む請求項４のシステム。
【請求項６】
インタラクティブコンテンツの再生をスローダウンすることは、インタラクティブコンテンツの再生を徐々にスローダウンすることを含む請求項５のシステム。
【請求項７】
前記表示は、スローモーションでインタラクティブコンテンツを再生することを含む請求項４のシステム。
【請求項８】
前記表示は、警告メッセージを含む請求項４のシステム。
【請求項９】
インタラクティブコンテンツの再生を再開することは、インタラクティブコンテンツの再生の速度を上げることを含む請求項３のシステム。
【請求項１０】
インタラクティブコンテンツの再生の速度を上げることは、漸進的な速度上昇を含む請求項９のシステム。
【請求項１１】
インタラクティブコンテンツの再生を再開する前に、インタラクティブコンテンツの少なくとも一部を巻き戻すことをさらに含む請求項３のシステム。
【請求項１２】
インタラクティブコンテンツはビデオゲームである請求項３のシステム。
【請求項１３】
インタラクティブコンテンツはネットワークを介して再生される請求項３のシステム。
【請求項１４】
インタラクティブコンテンツは、複数のユーザに同時に情報を相互にやりとりさせるように構成されている請求項１３のシステム。
【請求項１５】
同じ広告が前記複数のユーザのすべてに表示される請求項１４のシステム。
【請求項１６】
異なる広告が前記複数のユーザの少なくとも一人に表示される請求項１４のシステム。
【請求項１７】
インタラクティブコンテンツの再生の一時中断は所定の時間に行われる請求項３のシステム。
【請求項１８】
インタラクティブコンテンツの再生の一時中断はランダムな時間に行われる請求項３のシステム。
【国際調査報告】
2010509873.tif 000013
2010509873.tif 000014